(57)【要約】【課題】  ユーザが原稿の読み取りを行うためにプラテンカバーを開けてもまぶしくないようにした画像読取装置を提供する。【解決手段】  プラテンカバーが閉じられた状態では、冷陰極管（光源）が点灯状態にある。ここで、プラテンカバーの開閉を検出するホトインタラプタがＯＮかどうか判定し（ＳＴ１）、ＯＦＦ（プラテンカバーの閉）のときは待機する。ＯＮ（プラテンカバーの開）のときは冷陰極管を消灯する（ＳＴ２）。次いで、ホトインタラプタがＯＦＦかどうか判定し（ＳＴ３）、ＯＦＦなら冷陰極管を点灯する（ＳＴ４）。ＮＯならタイマがスタートし（ＳＴ５）、タイマが所定値かどうか判定する（ＳＴ６）。タイマ計時中に、プラテンカバーが閉じられるか、タイマが所定値に達すれば、冷陰極管を点灯する（ＳＴ４）。【選択図】      図４
2005215376.tif 000002
【特許請求の範囲】
【請求項１】
原稿を載置するプラテンと、このプラテンを覆う開閉自在なプラテンカバーと、プラテン下に配置される光源と、プラテンカバーの開閉を検出する検出手段と、検出手段でプラテンカバーが開放されたことを検出したとき、光源を消灯する制御手段とを備えたことを特徴とする画像読取装置。
【請求項２】
制御手段は、プラテンカバーが開放されたまま所定時間が経過すると、光源を点灯することを特徴とする請求項１記載の画像読取装置。
【発明の詳細な説明】
【技術分野】
【０００１】
この発明は、光源として例えば蛍光管や冷陰極管を用いた複写機、ファクシミリ装置、複写機能とファクシミリ機能を併有する複合機等に用いられる画像読取装置に関する。
【背景技術】
【０００２】
画像読取装置で原稿を照明する光源として蛍光管や冷陰極管を用いる場合、蛍光管や冷陰極管は消灯した状態から点灯し、原稿の読み取りに必要な光量に達するまでに時間が掛かり、読み取りの開始が遅れる問題点がある。そのため、読み取り時は勿論のこと、非読み取り時にも光源（冷陰極管）を常時点灯しておく画像読取装置が提案されている（例えば、特許文献１参照）。
【特許文献１】特開２００２−１３５５３６号公報（〔００３３〕，〔００３９〕）
【発明の開示】
【発明が解決しようとする課題】
【０００３】
しかしながら、フラットベッドスキャナの場合、プラテンカバーが開いていると、光源からの光が室内に照射され、原稿の読み取り操作を行うユーザにとってまぶしい問題点がある。
【０００４】
この発明は、そのような問題点に着目してなされたもので、ユーザが原稿の読み取りを行うためにプラテンカバーを開けてもまぶしくないようにした画像読取装置を提供することを目的とする。
【課題を解決するための手段】
【０００５】
前記目的を達成するために、本発明の画像読取装置は、原稿を載置するプラテンと、このプラテンを覆う開閉自在なプラテンカバーと、プラテン下に配置される光源と、プラテンカバーの開閉を検出する検出手段と、検出手段でプラテンカバーが開放されたことを検出したとき、光源を消灯する制御手段とを備えたことを特徴とする。
【０００６】
この画像読取装置では、原稿をプラテン上に載置する際にプラテンカバーを開けると、一旦、光源が消灯するので、ユーザにとってまぶしいことがなくなる。プラテンカバーを閉じた後に光源が再度点灯しても、消灯時間が短く、光源はまだ温まった状態にあるので、光源が冷えた状態から点灯して光量が安定する場合よりも早く光量が安定し、読み取りが遅れるというような問題点は生じない。
【０００７】
なお、プラテンカバーを開けたまま放置されると、光源の温度が低下してしまうので、これを防ぐために、制御手段は、プラテンカバーが開放されたまま所定時間が経過すると、光源を点灯することが好適である。
【発明の効果】
【０００８】
本発明によれば、原稿を読み取るためにプラテンカバーを開けると、光源が消灯するので、ユーザがまぶしくなくなる。
【発明を実施するための最良の形態】
【０００９】
以下、実施の形態により、この発明を更に詳細に説明する。
【００１０】
その実施形態に係る画像読取装置としてのファクシミリ装置の上部に設置されたフラットベッドスキャナ（ＦＢＳ）の外観斜視図を図１に示す。ＦＢＳ２は、前側を開閉可能に後側でヒンジ連結されたプラテンカバー３と、原稿載置台として原稿を載せる透明なガラス製のプラテン４と、手前側に設けられた操作部５及び表示部６とを有する。また、ＦＢＳ２の本体側には、プラテンカバー３の開閉を検出する検出手段の一方部分を構成する後記ホトインタラプタ２７の光路を開閉するためのリブ７（検出手段の他方部分を構成するもの）が突設されている。
【００１１】
このファクシミリ装置１の構成例を図２にブロック図で示す。このファクシミリ装置１は、コピー機能とファクシミリ機能を併有する複合機として構成したものであり、制御手段としてのＣＰＵ（中央処理装置）１１と、ＮＣＵ（網制御回路：Network Control Unit）１２と、ＭＯＤＥＭ１３と、ＲＯＭ１４と、ＲＡＭ１５と、画像メモリ１６と、ＣＯＤＥＣ（符号化・復号器：Coder and Decoder ）１７と、操作パネル１８と、プリンタ１９と、スキャナ画像処理回路２３と、スキャナ機構制御回路２４とを備え、これら各部がバス２９を介して接続されている。
【００１２】
ＣＰＵ１１は、ＲＯＭ１４に記憶されたプログラムに従い、この装置を構成する各部を統括制御する。また、ＣＰＵ１１は、ホトインタラプタ２７がＯＮになったとき、すなわちプラテンカバー３が開放されたときに、光源としての冷陰極管２６を消灯する機能、プラテンカバー３が開放されたまま所定時間（例えば５分）が経過すると、冷陰極管２６を点灯する機能を有する。
【００１３】
ＮＣＵ１２は、ＣＰＵ１１により制御されて、通信回線である公衆電話回線網（ＰＳＴＮ）２８との接続を制御するとともに、通信相手先の電話番号（ＦＡＸ番号を含む）に応じたダイヤルパルスを送出する機能、及び着信を検出する機能を有する。
【００１４】
ＭＯＤＥＭ１３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ１３は、ＮＣＵ１２を介して公衆電話回線網２８に送出するために、デジタル信号である送信データをアナログの音声信号に変調する機能や、公衆電話回線網２８からＮＣＵ１２を介して受信したアナログの音声信号をデジタル信号に復調する機能を有する。
【００１５】
ＲＯＭ１４は、この装置全体の動作を制御するためのプログラム等を記憶する。ＲＡＭ１５は、ＣＰＵ１１による制御に必要なデータ及び制御動作時に一時記憶が必要なデータ等を記憶する。画像メモリ１６は、ＣＣＤイメージセンサ２０で読み取った画像データを符号化し、圧縮状態で記憶する。
【００１６】
ＣＯＤＥＣ１７は、読み取った画像データを送信又は記憶するために、ＭＨ、ＭＲ、ＭＭＲ方式等により符号化（エンコード）する。また、ＣＯＤＥＣ１７は、圧縮符号化された状態で受信した画像データを、プリンタ１９により記録するために復号（デコード）する。操作パネル１８は、前記操作部５に設けられており、テンキー、モード切替キー、ワンタッチキー、短縮キー、登録キー、スタートキー、ストップキー等を有する。プリンタ１９は、電子写真方式のものであり、受信画像データやコピー動作においてＣＣＤイメージセンサ２０で読み取った原稿の画像データを記録紙上に記録する。
【００１７】
ＣＣＤイメージセンサ２０は、光源としての冷陰極管２６からの光で照明された原稿の１走査線の画像を読み取り、所定間隔をおいて、次の走査線画像を順次に読み取る。ＡＦＥ（アナログフロントエンド）回路２１は、ＣＣＤイメージセンサ２０の出力をアナログ増幅する。Ａ／Ｄ変換部２２は、ＡＦＥ回路２１のアナログ出力をデジタル信号に変換する。スキャナ画像処理回路２３は、入力されたデジタル画像信号に対して、シェーディング補正、ガンマ補正等の画像処理を実行する。
【００１８】
スキャナ機構制御回路２４は、後記光学系４０に係るキャリッジモータ（図示せず）を制御するとともに、インバータ２５から冷陰極管２６に印加する駆動電圧を制御する。このスキャナ機構制御回路２４には、前記ホトインタラプタ２７が接続されている。ホトインタラプタ２７は、発光素子２７ａと受光素子２７ｂからなり、発光素子２７ａの光が受光素子２７ｂで受光されるようになっている。このホトインタラプタ２７は、ＦＢＳ２の本体側のリブ７に対応するプラテンカバー３の位置に設けられている（図３参照）。
【００１９】
プラテンカバー３を閉じた状態では、ＦＢＳ２の本体側のリブ７が発光素子２７ａと受光素子２７ｂとの光路を遮断するので、ホトインタラプタ２７はＯＦＦとなる。プラテンカバー３を開けた状態では、リブ７が光路から外れるので、ホトインタラプタ２７はＯＮとなる。このホトインタラプタ２７のＯＮ／ＯＦＦによりプラテンカバー３の開閉が検出される。なお、リブ７をプラテンカバー３に設け、ホトインタラプタ２７をＦＢＳ２の本体側に設けてもよい。
【００２０】
このファクシミリ装置１において、プラテンカバー３、プラテン４及び関連主要部の概略構成図を図３に示す。プラテン４及びプラテン４を支持する支持板３１の下方に、冷陰極管２６、ミラー４１，４２，４３、レンズ４４、ＣＣＤイメージセンサ２０からなる光学系４０が配置され、この光学系４０がキャリッジ（図示せず）で副走査方向（図面の左右方向）に移動自在に構成されている。プラテンカバー３を開き、プラテン４上に原稿を載置し、プラテンカバー３を閉じ、操作部５のスタートキーを押すと、プラテン４の下方において、光学系４０が副走査方向に移動し、ＣＣＤイメージセンサ２０が原稿画像を読み取る。
【００２１】
また、ホトインタラプタ２７のＯＮ／ＯＦＦ信号はインバータ２５に取り込まれ、冷陰極管２６の消灯／点灯のトリガとされる。更に、支持板３１の下面には、テストチャート３２が取付けられている。このテストチャート３２に冷陰極管２６からの光を照射し、ＣＣＤイメージセンサ２０で受光することで、いわゆるシェーディング補正の基準データを得ることができる。
【００２２】
このように構成したファクシミリ装置１の点灯制御動作について、図４のフロー図を参照して説明する。但し、このフロー図では、最初にプラテンカバー３が閉じているものとする。また、冷陰極管２６はプラテンカバー３が閉じた状態では常時点灯している。
【００２３】
まず、ステップＳＴ１において、ホトインタラプタ２７がＯＮかどうか判定する。この判定がＮＯの場合、すなわちプラテンカバー３が閉じられたままである場合、冷陰極管２６を点灯したまま待機する。この待機中に、例えばユーザが原稿を読み取るためにプラテンカバー３を開けると、判定がＹＥＳとなり、次のステップＳＴ２において、冷陰極管２６を消灯する。この場合、プラテンカバー３を開けると、冷陰極管２６が消灯するので、ユーザがまぶしくなくなる。
【００２４】
次いで、ステップＳＴ３において、ホトインタラプタ２７がＯＦＦであるか否か判定する。つまり、ユーザがプラテンカバー３を開けてプラテン４上に原稿を載置した後、プラテンカバー３を閉じたかどうかを判定する。この判定がＹＥＳの場合は、ステップＳＴ４において、冷陰極管２６を点灯し、当該処理をリターンする。その後、通常のコピー動作が行われる。
【００２５】
一方、ステップＳＴ３の判定がＮＯの場合（プラテンカバー３が開けられたままである場合）は、ステップＳＴ５において、タイマがスタートし、ステップＳＴ６において、タイマが所定値（例えば５分）になったかどうか判定する。タイマが所定値に達しないときは、ステップＳＴ３に戻り、タイマが所定値に達するか、プラテンカバー３が閉じられるまで、ステップＳＴ３，ＳＴ５，ＳＴ６を繰り返す。この間に、タイマが所定値に達するか、プラテンカバー３が閉じられれば、ステップＳＴ４に移行し、冷陰極管２６を点灯し、当該処理をリターンする。タイマが所定値に達したときに、冷陰極管２６を点灯することで、冷陰極管２６を長い時間消灯したままにし、冷陰極管２６が冷めてしまう不具合を回避できる。
【００２６】
なお、上記実施形態では、検出手段がリブ７とホトインタラプタ２７で構成されているが、この他、レバーとマイクロスイッチで構成してもよい。この場合、例えばプラテンカバー３を閉じた状態ではレバーによりマイクロスイッチがＯＮとなり、プラテンカバー３を開けた状態ではマイクロスイッチがＯＦＦとなるようにする。
【図面の簡単な説明】
【００２７】
【図１】実施形態に係る画像読取装置としてのファクシミリ装置（コピー機能とファクシミリ機能を併有する複合機）の上部に設置されたＦＢＳの外観斜視図である。
【図２】同ファクシミリ装置の構成の一例を示すブロック図である。
【図３】同ファクシミリ装置のプラテンカバー、プラテン及び関連主要部の概略構成図である。
【図４】同ファクシミリ装置の点灯制御動作を説明するためのフロー図である。
【符号の説明】
【００２８】
１      ファクシミリ装置（画像読取装置）
２      ＦＢＳ（フラットベッドスキャナ）
３      プラテンカバー
４      プラテン
７      リブ（検出手段）
１１    ＣＰＵ（制御手段）
２０    ＣＣＤイメージセンサ
２６    冷陰極管（光源）
２７    ホトインタラプタ（検出手段）
４０    光学系
【図１】
2005215376.tif 000003
【図２】
2005215376.tif 000004
【図３】
2005215376.tif 000005
【図４】
2005215376.tif 000006